(57)【要約】　　　（修正有）【課題】上下ヒータ部から離れた位置で上下動可能な摺動枠体により高真空の隔室が簡単に形成でき、上下ヒータが常時高温となっていても、摺動枠体が下降した開放状態で製品の供給や取出しを簡単かつ安全に行なうことができる高温用真空プレス装置を提供する。【解決手段】隔室内の機密性を保持するためのシールを備える隔室形成用の枠体１１、１２、１３をヒータ板６、９とは接触させずにヒータ板とは隔離した位置にあるようにして、高温となるヒータ板からの影響を受けないようした。【選択図】　　図１
2004001008.tif 000002
【特許請求の範囲】
【請求項１】
ヒータを備えた被加工品の受け台を設置した基台上に該受け台を若干の間隔を置いて取り囲むように筒型の下固定枠を立設し、上記受け台と対面するヒータ付きの押当て板を支持し上方のプレス用シリンダにより上下動する水平な取付板の下面には上記押当て板を若干の間隔を置いて取り囲むように筒型の上移動枠を垂設固定し、該上移動枠と上記下固定枠とはその開放端面において対面合致し、下固定枠の外周面には上下摺動自在に筒型の摺動枠体が嵌装され、該摺動枠体の下縁に形成した外向きつばには基台を貫挿して基台下側に配設された押上げシリンダにより上下動する水平な押上げ板と連結した連結杆が固定され、上記押上げシリンダにより上記摺動枠体が上昇すると上記上移動枠外周面に摺接して上移動枠と下固定枠間が閉鎖されることによりその内側に隔室が形成されるようにし、該隔室を構成する上記取付板、基台、上移動枠、下固定枠、摺動枠体のいずれかには該隔室内の空気を吸引するための吸引孔が設けられてなることを特徴とする高温用真空プレス装置。
【請求項２】
前記上移動枠の下端を段部に形成し、摺動枠体は上昇すると上移動枠外周面に摺接することなく、その上端部が該段部に突合するようにした請求項１記載の高温用真空プレス装置。
【請求項３】
前記ヒータ付き受け台とその外側の下固定枠は基台上に設置したガイド台上をシリンダ駆動により水平移動するスライドテーブルのテーブル板上に設けられ、摺動枠体の外向きつばに垂設される各連結杆は上記テーブル板の張り出し部を貫挿してその下端を基台上側に臨ませ、かつ該連結杆のテーブル板より下側には圧縮コイルスプリングを巻装して該連結杆を介して摺動枠体を常に降下するように賦勢し、基台下側に配設された押上げシリンダにより上下動する押上げ板には基台を貫挿して上記各連結杆の下端に突合可能な突上げ杆が立設固定されてなる請求項１又は２記載の高温用真空プレス装置。
【発明の詳細な説明】
【０００１】
【発明の属する技術分野】
本発明は、プレス装置の作動により隔室を形成して、該隔室内に高真空を実現することにより真空下でプレス加工を行う装置であって、特に高温下でプレス加工するのに適した真空プレス装置に関するものである。
【０００２】
【従来の技術】
本出願人は、先に特開２００２−９６１９９号公報で、ＩＣカードやプリント回路基板、偏光レンズなどの貼り合せのため、脱気を行って高真空下で加熱圧着する真空プレス装置を提案した。しかし、この装置では隔室を形成するための摺動枠体がヒータ部を備える治具と直接接しており、該枠体に設けられたシールパッキン（Ｏリング等）の耐熱温度は２００℃程度の低温度域であるので、それ以上の高温下で加熱加圧する必要がある場合には使用できない。
【０００３】
そこで、その場合には、従来は例えば耐熱グリス入りシールパッキンを設けた気密な開閉扉付きの固定設置された大型の真空装置内で高温プレス加工を行わざるを得ず、装置内が高温となっている扉を介して製品の出し入れを行う必要があるので、面倒かつ甚だ危険でもあった。
【０００４】
【発明が解決しようとする課題】
本発明は、例えば
▲１▼セラミックス板に貼り合せた薄板の銅板やステンレス板にエッチング回路を形成した表面にポリイミド等の耐熱フィルムを耐熱接着剤やポリイミド等の同質材により溶融接着する場合のように、耐熱温度の高い多機能フィルム積層板の貼り合せや，
▲２▼セラミックス板上に積層フィルム状のコンデンサや抵抗等のチップを多数形成し、更にその上に熱硬化性の粉体樹脂を溶融させて包み込むパッケージングモールドを目的とする粉体成型、
▲３▼各種エンジニアリングプラスチックの真空中での加熱プレス成型など、
【０００５】
３００〜４００℃又はそれ以上の高温下で真空プレス加工する必要がある場合に、大型の真空設備を用いて、いちいち扉を開けて製品の装入や取出しを行う必要がなく、プレス装置の作動により上下冶具の周囲に最小スペースの隔室を形成して、該隔室内を簡単迅速に高真空とすることができると共に、被加工製品を高温で加熱加圧しても、隔室を形成する壁体のシールパッキンが損傷する心配もない高温用真空プレス装置を提案するものである。
【０００６】
【課題を解決するための手段】
本発明では、隔室内の気密性を保持するためのＯリングその他のシールパッキンを備える隔室形成用の枠体をヒータ部（正確にはヒータを内蔵する部材）とは接触させずに、ヒータ部とは離隔した位置にあるようにして、高熱となるヒータ部からの影響を直接受けないようにする。
【０００７】
即ち、本発明はヒータを備えた被加工品の受け台を設置した基台上に該受け台を若干の間隔を置いて取り囲むように筒型の下固定枠を立設し、上記受け台と対面するヒータ付きの押当て板を支持し上方のプレス用シリンダにより上下動する水平な取付板の下面には上記押当て板を若干の間隔を置いて取り囲むように筒型の上移動枠を垂設固定し、該上移動枠と上記下固定枠とはその開放端面において対面合致し、下固定枠の外周面には上下摺動自在に筒型の摺動枠体が嵌装され、該摺動枠体の下縁に形成した外向きつばには基台を貫挿して基台下側に配設された押上げシリンダにより上下動する水平な押上げ板と連結した連結杆が固定され、上記押上げシリンダにより上記摺動枠体が上昇すると上記上移動枠外周面に摺接して上移動枠と下固定枠間が閉鎖されることによりその内側に隔室が形成されるようにし、該隔室を構成する例えば上記取付板の板面には該隔室内の空気を吸引するための吸引孔が設けられていて、隔室内の空気を吸引することにより隔室内を高真空状態とし、上記押当て板の降下により受け台上の被加工物に真空下で加熱加圧を行って所定のプレス加工を行うようにした高温用真空プレス装置に関するものである。
【０００８】
なお、上記上移動枠の下端は段部に形成し、摺動枠体が上昇すると上記のように上移動枠外周面に摺接するのではなく、摺動枠体上端部が該段部に突合するようにしてもよい。
【０００９】
また、上記ヒータ付き受け台とその外側の下固定枠は基台上に設置したガイド台上をシリンダ駆動により水平移動するスライドテーブルのテーブル板上に設けるようにし、摺動枠体の外向きつばに垂設される各連結杆は上記テーブル板の張り出し部を貫挿してその下端を基台上側に臨ませ、かつ該連結杆のテーブル板より下側には圧縮コイルスプリングを巻装して該連結杆を介して摺動枠体を常に降下するように賦勢し、基台下側に配設された押上げシリンダにより上下動する押上げ板には基台を貫挿して上記各連結杆の下端に突合可能な突上げ杆を立設固定することにより、下方の部材をこのプレス装置の外側へ水平移動できるようにして、広くて安全な場所で製品の供給と取り出しを迅速かつ容易に行えるようにすることもできる。以下、本発明装置の実施形態を図により説明する。
【００１０】
【発明の実施の形態】
図１〜３は本発明の装置全体の一例を示す正面説明図とその作用説明図であり、１はフレーム２上側に下向きに固定されたプレス装置のシリンダで、そのロッド３下端には水平な取付板４の中心部が固定され、該取付板４の下側には垂設固定された複数本の支持杆５を介して上ヒータ板６及び押当て板７が順次固定され、上記プレスシリンダ１の作動によって水平な該押当て板７が上下動するようになっている。
【００１１】
８は下治具である受け台で、その下面には下ヒータ板９が取付けられ、直上の上治具である上記押当て板７と対面するようにして基台１０上に浮設固定され、該受け台８上面は押当て板７下面より前後左右に渡って広い面を有している。
【００１２】
１１は上記受け台８を外側から取り囲むように該受け台８から若干離れた位置の基台１０上に立設固定した平面方形（又は円形）をなす筒型の下固定枠（下枠）であり、該枠１１は後記する真空隔室２２の下方を構成することとなり、その上端位置は受け台８の上面と合致するか又はそれよりやや下方にある。
【００１３】
１２は上方の上記押当て板７を外側から取り囲むように該押当て板７から若干離れた位置の上記取付板４下面に垂設固定されてプレスシリンダ１の駆動により押当て板７と共に上下動する上移動枠（上枠）で、該移動枠１２は上記した固定枠１１と合致する形状と大きさを有する筒型をなし、その下端面は下固定枠１１の上端面と対面合致するが、少なくとも押当て板７の下面より上方に位置するようにし、上移動枠１２が降下しても下固定枠１１に接することはない。
【００１４】
１３は下固定枠１１外周面に密に上下摺動自在に嵌装された筒型の摺動枠体で、該摺動枠体１３は基台１０下方に配置された押上げシリンダ１４の駆動により上下動する。この押上げシリンダ１４は上方のプレスシリンダ１と軸心を同じくして平面方形の水平な押上げ板１５下面に上向きに固定され、そのロッド１６先端は基台１０下面に固定されていて、該ロッド１６の伸縮により該シリンダ１４自体が押上げ板１５と共に上下動するようになっている。
【００１５】
１７は基台１０を貫挿して上記摺動枠体１３下縁外周に形成した外向きつば１８の四隅と下方の上記押上げ板１５の四隅とを連結固定する４本の連結杆で、摺動枠体１３は下方の押上げシリンダ１４の駆動による押上げ板１５の上下移動により該連結杆１７を介して下枠１１の外周を上下摺動する。
【００１６】
１９は上方の取付板４の板面の一部に開孔した空気吸引孔で、該孔１９はオイルポンプ等の真空ポンプ（図示せず）に接続され、後記の如くして隔室２２が形成されたときに、該隔室２２内の空気を吸引して高真空の隔室２２を形成するためのものである。なお、この吸引孔１９は取付板４に限られず、隔室２２を構成する基台１０、上・下枠１２、１１あるいは摺動枠体１３のいずれかに設けることもできる。
【００１７】
また、２０は隔室２２の気密性を高めるために上・下枠１２、１１及び摺動枠体１３の要所に設けたグリス入りＯリング等のシールパッキン、２１は上・下枠１２、１１の内面に設けたセラミックス板等の断熱板である。
【００１８】
しかして、例えば回路基板上に耐熱接着剤を用いて耐熱フィルムを貼り付ける場合など、被加工品２３を受け台８上で高真空下で高温加熱加圧してプレス加工する場合には、まず押上げシリンダ１４が作動してそのロッド１６を引込めることにより、連結杆１７を介して摺動枠体１３を下固定枠１１外周を摺動しながら上昇させ、その上方が上移動枠１２外周面に接してさらに少しく上昇して上・下枠１２、１１間が該摺動枠体１３により完全に閉塞されるようにし、これにより上方の取付板４、基台１０、上・下両枠１２、１１及び摺動枠体１３とで囲まれる隔室２２が形成される（図２参照）。
【００１９】
そこで、これと同時に真空ポンプ（図示せず）により取付板４の吸引孔１９から真空引きを行い（図２参照）、隔室２２内を高真空にすると共に、今度は上方のプレスシリンダ１が作動して押当て板７を降下させて行く。押当て板７降下の際には、上移動枠１２外周は摺動枠体１３内面を密に摺動しながら降下し、最終的に押当て板７は高真空状態の中で受け台８上の被加工品２３に圧接し、常に高温（例えば３００〜４００℃）に加熱されている上・下ヒータ板６、９からの熱伝導により加熱加圧され、気泡を全く含まない回路基板への耐熱フィルムの熱圧着など、被加工品２３への所定の押当て加工が行われるのである（図３参照）。
【００２０】
この場合、摺動枠体１３や上・下枠１２、１１の各シールパッキン２１はヒータ部６、９からは離間しており、断熱材２１の使用もあって、高温とはならず、ヒータ部が３００〜４００℃となっても、シールパッキン２１部では２００℃以下であり、フッ素ゴム等の通常の耐熱ゴムパッキンの使用で充分である。
【００２１】
図４は、本発明装置の他の実施例を示すもので、摺動枠体１３は押上げシリンダ１４の駆動により上昇すると、上方の上移動枠１２の外周面に接するのではなく、該上枠１２下端に外向き段部１２ａが形成されていて、摺動枠体１３上端が該段部１２ａに密に当接し、これにより隔室２１を形成するようになっている。
【００２２】
このようにして隔室２１が形成されると、直ちに取付板４の吸引孔１９から真空引きが行われると同時に、プレスシリンダ１の作動により押当て板７が降下して行く。このとき、押上げシリンダ１４は開放状態（オフ）にしてもよく、隔室２１内が高真空となっているので、摺動枠体１３が自重降下する心配はなく、あるいはまた押上げシリンダ１４を摺動枠体１３の上昇方向に駆動を継続しておいてもよく、プレスシリンダ１の圧力の方が格段に大きいので、押上げシリンダ１４に抗して上枠１２が摺動枠体１３を押下げることができる。
【００２３】
これにより、隔室２１内は高真空を保持したまま受け台８上の被加工品２３は押当て板７により高熱で加熱加圧され、被加工品２３は熱圧着などの所定のプレス加工が施される。
【００２４】
図５は、本発明の更に他の実施例を示すもので、前述までの装置では、上・下治具ともに高熱ヒータ６、９を備えており、下治具である受け台８上への被加工製品２３の供給と取り出しは常に加熱状態にある上下ヒータ６、９間で行う必要があるので、開放状態となっていてもその間隔スペースが小さくて火傷等作業上の危険性もあるが、図５に示す装置は受け台８や下ヒータ９、下固定枠１１、摺動枠体１３等、基台１０上に設置される前記した下方の部材全体がこのプレス装置の外側へ水平移動できるようにして、広くて安全な場所で製品２３の供給と取り出しを迅速かつ容易に行えるようにしたものである。
【００２５】
図５において、２４は基台１０上に設置されたガイド台２５に沿ってプレスシリンダ１下から左右一方へ移動可能なスライドテーブルで、該テーブル２４の移動方向と反対側端には上記ガイド台２５側端部に取付けられた水平移動用シリンダ２６のロッド先端が固定され、該テーブル２４を左右方向へ水平移動させるように構成されている。
【００２６】
２７は上記スライドテーブル２４上面に該テーブル２４より前後方向に張り出すようにして固定されたテーブル板であり、該テーブル板２７上に図１と同様の構成の下ヒータ板９を備える受け台８とその外側に下固定枠１１及び摺動枠体１３が設けられる。ただし、摺動枠体１３の外向きつば１８に垂設固定される連結杆１７の下端は基台１０下の押上げシリンダ１４と共に上下動する押上げ板１５には固定せず、上記したテーブル板２７の前後張り出し部を貫挿して、摺動枠体１３の下降端において基台１０上面に近接した位置で垂下するようにし、かつ該連結杆１７のテーブル台２７より下側には圧縮コイルスプリング２８を巻装して、該連結杆１７を介して摺動枠体１３を常に降下するように賦勢してある。
【００２７】
２９は上部が基台１０を貫挿するように基台１０下方の押上げ板１５の四隅に立設固定した突上げ杆で、該突上げ杆２９は摺動枠体１３を上昇させる際に上記連結杆１１とその軸心を合致させて、下方の押上げシリンダ１４の作動によりスプリング２８に抗して各連結杆１７を突上げるようになっている。
【００２８】
しかして、この図５の装置によれば、まず側方の水平移動用シリンダ２６のロッド伸長により下治具が設置されているスライドテーブル２４はプレスシリンダ１下から装置外へスライド移動し（図５で左方へ）、ここで受け台８上に被加工品２３がセットされる。次に、上記シリンダ２６の復動によりプレスシリンダ１直下に戻り、各連結杆１７と突上げ杆２９との合致位置で押上げシリンダ１４により該突上げ杆２９、連結杆１７を介して下固定枠１１外周の摺動枠体１３を摺動上昇させて行き、該摺動枠体１３上方を上移動枠１２外周に接して、その内側に隔室２２を形成するのは図１の装置と同様であり、更に真空引きにより該隔室２２内を高真空とすると共に、プレスシリンダ１の駆動により押当て板７の降下により受け台８上の被加工品２３に対して所定の加熱加圧処理を行うことも図１の装置と全く同様である。
【００２９】
なお、この図５の装置においても、摺動枠体１３の上昇により上移動枠１２外周面に摺接させる方式に代えて、図４の装置のように上移動枠１２下周縁に段部を形成し、摺動枠体１３上端がこの段部に突合密着するように構成してもよいことは勿論である。
【００３０】
そして、所定のプレス加工が終了すると、隔室２２内は大気圧に戻されると共に、押上げシリンダ１４の逆作動（ロッド伸長）により摺動枠体１３の該枠体１３の連結杆１７に備える圧縮スプリング２８の弾発力により該摺動枠体１３を下降端まで引下げると、再び水平移動用シリンダ２６が作動して、スライドテーブル２４をプレスシリンダ１下から側方（左方）へ移動させるので、ここで受け台８上のプレス加工が施された製品２３を取り出し、新たな被加工品をセットするのである。
【００３１】
【発明の効果】
本発明の装置は上述のようにしてなり、上下ヒータ部から離れた位置で上下動可能な摺動枠体により高真空の隔室が簡単に形成でき、上下ヒータが常時高温となっていても、摺動枠体が下降した開放状態で製品の供給や取出しを簡単かつ安全に行うことができる。
【００３２】
しかも、上下ヒータを隔室の高気密性を保証するシールパッキンの耐熱温度以上の高温（３００℃以上）にしても、隔室が高真空状態のときは熱伝導が真空遮断され、また摺動枠体下降時はヒータから離れた位置で隔室を形成する各部材が大気に開放されているので、隔室形成部材に備えるシールパッキンはヒータの高熱の影響を直接受けることがない。
【００３３】
さらに、本発明の装置によれば、高温下で真空プレス可能な装置を従来のものより大幅に小型軽量化かつ安価に製作することができ、また図５の装置のように下治具側をスライドテーブルに搭載することにより、プレス装置の外側位置で製品を受け台上に自動的に供給したり取出すことが可能となるので、全自動化を行うことも可能となる。
【図面の簡単な説明】
【図１】本発明に係る高温用真空プレス装置の一例を示す全体正面説明図である。
【図２】図１の装置による作用説明図であって、真空隔室を形成中の状態を示している。
【図３】図１の装置による作用説明図であって、被加工品を加熱加圧している状態を示している。
【図４】本発明に係る高温用真空プレス装置の他の実施例を示す全体正面説明図である。
【図５】本発明に係る高温用真空プレス装置のさらに他の実施例を示す全体正面説明図である。
【符号の説明】
１−プレス装置のシリンダ
２−フレーム
３−ロッド
４−取付板
５−支持杆
６−上ヒータ板
７−押当て板
８−受け台
９−下ヒータ板
１０−基台
１１−下固定枠
１２−上移動枠
１３−摺動枠体
１４−押上げシリンダ
１５−押上げ板
１６−ロッド
１７−連結杆
１８−外向きつば
１９−吸引孔
２０−シールパッキン
２１−断熱板
２２−（真空）隔室
２３−被加工品
２４−スライドテーブル
２５−ガイド台
２６−水平移動用シリンダ
２７−テーブル板
２８−圧縮コイルスプリング
２９−突上げ杆
【図１】
2004001008.tif 000003
【図２】
2004001008.tif 000004
【図３】
2004001008.tif 000005
【図４】
2004001008.tif 000006
【図５】
2004001008.tif 000007